(57)【要約】  本発明の一態様は、センサの劣化や検出精度の影響を抑制しつつ、光源の色温度に関する情報を取得することができる表示装置および表示方法を提供する。本発明の一態様による表示装置は、表示パネル、駆動部、検出部、取得部を備える。駆動部は、映像信号に基づいて前記表示パネルを駆動する。検出部は、環境光が反射媒体に照射された場合に発生する前記反射媒体からの反射光を検出して第１検出値を取得し、前記表示パネルの表示光が前記反射媒体に照射された場合に発生する前記反射媒体からの反射光を検出して第２検出値を取得する。取得部は、前記第２検出値が前記第１検出値に近づくように、又は、前記第２検出値によって示される色度が前記第１検出値によって示される色度に近づくように、前記駆動部が前記表示パネルの駆動値を修正し、前記修正された駆動値から前記環境光の色温度に関する情報を取得する。
2016121025.tif 000002
【特許請求の範囲】
【請求項１】
表示パネルと、
映像信号に基づいて前記表示パネルを駆動する駆動部と、
環境光が反射媒体に照射された場合に発生する前記反射媒体からの反射光を検出して第１検出値を取得し、前記表示パネルの表示光が前記反射媒体に照射された場合に発生する前記反射媒体からの反射光を検出して第２検出値を取得する検出部と、
前記第２検出値が前記第１検出値に近づくように、又は、前記第２検出値によって示される色度が前記第１検出値によって示される色度に近づくように、前記駆動部が前記表示パネルの駆動値を修正し、前記修正された駆動値から前記環境光の色温度に関する情報を取得する取得部と、
を備えた表示装置。
【請求項２】
前記検出部は、前記表示パネルの表示状態を黒表示とした際に前記第１検出値を取得する、請求項１に記載の表示装置。
【請求項３】
前記環境光の色温度に関する情報に基づいて作成した色補正情報に基づいて、入力される映像信号の色補正を行う映像処理部を更に備えた、請求項１または２に記載の表示装置。
【請求項４】
前記取得部は、
前記第２検出値と前記第１検出値との差分が規定値内である場合、前記第２検出値を与える前記駆動値を前記環境光の色温度に関する情報として取得する、請求項１から３の何れか１項に記載の表示装置。
【請求項５】
前記検出部は、
前記表示パネルの下辺側に配置され、前記反射媒体が前記検出部よりも下方で水平状に保持された状態における前記反射媒体からの反射光を検出する、請求項１から４の何れか１項に記載の表示装置。
【請求項６】
前記表示パネルには、バックライトとしてＬＥＤが備えられた、請求項１から５の何れか１項記載の表示装置。
【請求項７】
映像信号に基づいて表示パネルを駆動する段階と、
環境光が反射媒体に照射された場合に発生する前記反射媒体からの反射光を検出して第１検出値を取得し、前記表示パネルの表示光が前記反射媒体に照射された場合に発生する前記反射媒体からの反射光を検出して第２検出値を取得する検出段階と、
前記第２検出値が前記第１検出値に近づくように、又は、前記第２検出値によって示される色度が前記第１検出値によって示される色度に近づくように、前記表示パネルの駆動値を修正し、前記修正された駆動値から前記環境光の色温度に関する情報を取得する取得段階と、
を含む取得方法。
【請求項８】
前記検出段階において、前記表示パネルの表示状態を黒表示とした際に前記第１検出値を取得する、請求項７に記載の取得方法。
【請求項９】
前記取得段階において、前記第２検出値と前記第１検出値との差分が規定値内である場合、前記第２検出値を与える前記駆動値を前記環境光の色温度に関する情報として取得する、請求項７または８に記載の取得方法。
【請求項１０】
前記検出段階において、前記反射媒体が前記表示パネルよりも下方で水平状に保持されている状態において前記第１検出値を取得する、請求項７から９の何れか１項に記載の取得方法。
【請求項１１】
前記検出段階において、前記反射媒体が前記表示パネルの表示面に正対して保持されている状態において前記第２検出値を取得する、請求項７から１０の何れか１項に記載の取得方法。
【請求項１２】
請求項７から１１の何れか１項に記載の取得方法の前記取得段階において取得された前記環境光の色温度に関する情報に基づいて作成された色補正情報に基づいて、入力される映像信号の色補正を行う段階と、
前記色補正が行われた映像信号に基づいて前記表示パネルを駆動する段階と、
を含む表示方法。
【発明の詳細な説明】
【技術分野】
【０００１】
本発明は、表示装置および表示方法に関する。
【背景技術】
【０００２】
近年、印刷物やモニタなどの表示色を管理するカラーマネージメントが普及している。ＩＣＣ(International Color Consortium)が提唱したカラーマネージメントでは、「利用コンピューターシステムに依存しないカラーデータの作成及び解釈のためのプロファイル書式」（以下、ＩＣＣプロファイルと称す。）が用いられる。ＩＣＣプロファイルは、規定の光源の色温度（一般には、５０００Ｋ（ケルビン））を前提として印刷用紙の種類ごとに提供され、ＩＣＣプロファイルには、色空間の設定に関する情報や、プロファイル間の変換に関する情報が規定されている。プリンタやモニタなどの各装置は、固有のＩＣＣプロファイルを持ち、各装置のオペレーティングシステムやアプリケーションプログラムがこれを利用して色空間を設定することによって、画像の色合いを維持しつつ、様々な装置間で色情報を共有することが可能になっている。【０００３】
ところで、プリンタで画像を印刷用紙に印刷する際、印刷用紙に印刷された画像（印刷物の画像）の色合いを予めモニタ上で確認することに対する要請が存在する。このような印刷物の画像の色合いをモニタ上に再現する手法は所謂印刷エミュレータとして知られている。印刷エミュレータにより印刷物の画像の色合いをモニタ上に正しく再現するためには、モニタの白色点と印刷用紙の白色点とを合わせる必要がある。【０００４】
ここで、印刷用紙の白色は、その印刷用紙の反射特性と環境光の光源の色温度特性の双方の影響を受ける。また、最も一般的な蛍光灯等の光源の色温度にはばらつきがあり、実際の光源の色温度は、ＩＣＣプロファイルの規定の色温度（５０００Ｋ）と一致しない場合がある。このため、印刷用紙の種類が同じであっても、光源によって印刷用紙の白色点が変化し、ＩＣＣプロファイルで規定されたモニタ上の白色点が印刷用紙の白色点と一致しなくなる。この場合、印刷エミュレータが正しく機能しなくなる。【０００５】
このような状況において印刷物の画像の色合いをモニタ上に正しく再現するためには、ＩＣＣプロファイルで規定されたモニタの白色点を実際の光源下での印刷用紙の白色点に合わせればよい。そのためには、実際の光源の色温度に関する情報を取得し、その色温度に関する情報に基づいてモニタの色空間を再計算してＩＣＣプロファイルを修正する必要がある。この場合、光源の色温度に関する情報は、例えばモニタに備えられた輝度調節用の照度センサ等を用いて取得することができる。
【先行技術文献】
【特許文献】
【０００６】
【特許文献１】特開平７−１０５３７５号公報
【発明の概要】
【発明が解決しようとする課題】
【０００７】
しかしながら、一般に、センサは、検出誤差を有しており、しかも、経時劣化によりセンサの検出値は変化する。このため、センサを用いて直接的に光源の色温度を知ることは困難である。また、高精度で経時劣化の少ないセンサは高額である。【０００８】
そこで、本発明の一態様は、センサの劣化や検出精度の影響を抑制しつつ、光源の色温度に関する情報を取得することができる表示装置および表示方法を提供することを目的とする。
【課題を解決するための手段】
【０００９】
本発明の一態様は、以下の事項を提案している。
本発明の一態様によれば、表示パネルと、映像信号に基づいて前記表示パネルを駆動する駆動部と、環境光が反射媒体に照射された場合に発生する前記反射媒体からの反射光を検出して第１検出値を取得し、前記表示パネルの表示光が前記反射媒体に照射された場合に発生する前記反射媒体からの反射光を検出して第２検出値を取得する検出部と、前記第２検出値が前記第１検出値に近づくように、又は、前記第２検出値によって示される色度が前記第１検出値によって示される色度に近づくように、前記駆動部が前記表示パネルの駆動値を修正し、前記修正された駆動値から前記環境光の色温度に関する情報を取得する取得部と、を備えた表示装置を提案している。【００１０】
本発明の一態様によれば、映像信号に基づいて表示パネルを駆動する段階と、環境光が反射媒体に照射された場合に発生する前記反射媒体からの反射光を検出して第１検出値を取得し、前記表示パネルの表示光が前記反射媒体に照射された場合に発生する前記反射媒体からの反射光を検出して第２検出値を取得する検出段階と、前記第２検出値が前記第１検出値に近づくように、又は、前記第２検出値によって示される色度が前記第１検出値によって示される色度に近づくように、前記表示パネルの駆動値を修正し、前記修正された駆動値から前記環境光の色温度に関する情報を取得する取得段階と、を含む取得方法を提案している。
【発明の効果】
【００１１】
本発明の一態様によれば、センサの劣化や検出精度の影響を抑制しつつ、光源の色温度に関する情報を取得することができる。
【図面の簡単な説明】
【００１２】
【図１】本発明の実施形態による表示装置の構成例を示すブロック図である。
【図２】本発明の実施形態による表示装置の動作の流れの一例を示すフロー図である。
【図３】本発明の実施形態による表示装置の動作の詳細の一例を示すフロー図である。
【図４】本発明の実施形態による表示装置の動作の詳細を補足説明するための図であり、印刷媒体の設定方法を説明するための図である。
【図５Ａ】本発明の実施形態による表示装置の動作を補足説明するための図であり、光源による環境光を印刷媒体の紙面に照射したときの印刷媒体の白色点を示す照度を検出する手法を説明するための図である。
【図５Ｂ】本発明の実施形態による表示装置の動作を補足説明するための図であり、表示パネルの表示光（白色光）を印刷媒体に照射したときの印刷媒体の白色点を示す照度を検出する手法を説明するための図である。
【図６】本発明の実施形態による表示装置の動作において実施される色空間の補正の概念を説明するための図である。
【図７】本発明の他の実施形態による表示装置の構成例を示すブロック図である。
【発明を実施するための形態】
【００１３】
以下、本発明の実施形態について図面を参照しながら説明する。
なお、本発明の実施形態における構成要素は適宜、既存の構成要素等との置き換えが可能であり、また、他の既存の構成要素との組合せを含む様々なバリエーションが可能である。したがって、本発明の実施形態の記載をもって、請求の範囲に記載された発明の内容を限定するものではない。
【００１４】
図１は、本発明の実施形態による表示装置１０の構成例を示すブロック図である。
表示装置１０は、入力される映像信号Ｐに基づき画像（映像）を表示するための装置であり、印刷媒体に印刷された画像（印刷物の画像）の色合いを表示画面上に再現する所謂印刷エミュレータとしての機能を有している。表示装置１０は、センサ部１１、記憶部１２、信号制御部１３、画質制御部１４、映像処理部１５、表示制御部１６、表示パネル１７、表示操作入力部１８、映像信号生成部１９を備える。表示パネル１７は、液晶表示部（ＬＣＤ）１７１およびバックライトユニット１７２を備える。
本実施形態において、印刷媒体は、例えば印刷用紙である。ただし、印刷用紙に限らず、画像や文字などの任意の視覚的要素を形成することが可能であることを限度に、印刷媒体は任意の材質の媒体であり得る。従って、本実施形態による表示装置１０は、印刷用紙に限らず、任意の媒体上の任意の視覚的要素を再現するエミュレータとして機能することができる。このようなエミュレータとして表示装置１０が機能する観点からすれば、印刷媒体は、光を反射する性質を有する媒体（以下、反射媒体と称す。）であればよく、印刷媒体なる用語を反射媒体なる用語に置き換えてもよい。
【００１５】
センサ部１１は、例えばＲＧＢ表色系に適合したカラーセンサであり、入射光の赤色光成分（Ｒ）の照度を検出するための照度センサ１１Ｒと、緑色光成分（Ｇ）の照度を検出するための照度センサ１１Ｇと、青色光成分（Ｂ）の照度を検出するための照度センサ１１Ｂとを備えている。センサ部１１は、入射光の各色成分の照度値を示す照度信号Ｓ（Ｒ，Ｇ，Ｂ）を出力する。本実施形態では、センサ部１１の入射光は、例えば、光源（図示なし）からの環境光または印刷媒体の紙面からの反射光である。
【００１６】
センサ部１１は、後述する図４に例示するように、表示パネル１７の周囲の下辺側に配置されている。ただし、この例に限定されず、後述する第１検出値および第２検出値を得ることができることを限度に、センサ部１１は任意の位置に配置し得る。従って、センサ部１１は、例えば、表示パネル１７の周囲の上辺側に配置してもよく、また、表示パネル１７の周囲の右辺側または左辺側に配置してもよく、また、表示パネル１７の周囲のコーナーに配置してもよい。
【００１７】
記憶部１２は、各種のデータを一時的に記憶するためのメモリである。本実施形態では、記憶部１２には、例えば、センサ部１１により検出された照度値等が記憶される。
信号制御部１３は、センサ部１１から出力される照度信号Ｓ（Ｒ，Ｇ，Ｂ）によって示される照度値を記憶部１２に書き込むための書込み制御と、記憶部１２に記憶された照度値を読み出すための読み出し制御等を実施する要素である。信号制御部１３は、後述する表示操作入力部１８からの指示に基づいて、記憶部１２に対する上記照度値の書き込み制御および読み出し制御を実施する。信号制御部１３は、記憶部１２から読み出した照度値ＤＳを画質制御部１４に供給する。
【００１８】
本実施形態では、上述のセンサ部１１と記憶部１２と信号制御部１３は、入射光の照度を検出し、その照度を示す照度値ＤＳを、後述する第１検出値（後述の基準特性値）または第２検出値（後述の観測値）として取得する検出部を構成する。本実施形態では、上記検出部は、表示パネル１７の表示状態が黒表示とされ、図示しない光源からの環境光が印刷媒体（反射媒体）に照射された場合に発生する上記印刷媒体からの反射光をセンサ部１１で検出したときの照度値を第１検出値として取得する。第１検出値は、後述するように、表示パネル１７の白色点を印刷媒体５００の白色点に合わせるときの基準となる。そこで、以下では、第１検出値を「基準特性値」と称す。
【００１９】
また、上記検出部は、表示パネル１７の表示状態が白表示とされ、表示パネル１７の表示光が上記印刷媒体に照射された場合に発生する上記印刷媒体からの反射光をセンサ部１１で検出したときの照度値を第２検出値として取得する。この場合、上記印刷媒体は、例えば、表示パネル１７の表示面に正対した状態に保持される。第２検出値は、上述するように、表示パネル１７の白色点を印刷媒体の白色点に合わせる過程で観測されるセンサ部１１の検出値である。そこで、以下では、第２検出値を「観測値」と称す。信号制御部１３は、上記の基準特性値および観測値を照度値ＤＳとして画質制御部１４に出力する。
【００２０】
画質制御部１４は、信号制御部１３から入力される照度値ＤＳ（基準特性値、観測値）から光源の色温度に関する情報を取得する取得部として機能する要素である。本実施形態では、光源から放射された光は環境光を形成するため、光源の色温度は、この光源による環境光の色温度を意味する。画質制御部１４は、光源の色温度に関する情報を取得する過程で、色空間を制御するための画質制御値ＤＣを出力する。また、画質制御部１４は、環境光の光源の色温度に関する情報に基づいて、映像処理部１５で用いられるＩＣＣプロファイルで規定される所定の基準色温度における表示パネル１７の色空間を環境光の光源の色温度における色空間に補正する補正部として機能する。画質制御値ＤＣは、映像処理部１５に供給され、液晶表示部１７１の階調を制御するための階調駆動値ＤＧに反映される。画質制御部１４は、後述するように、上記観測値によって示される色度が上記基準特性値によって示される色度と等しくなるように画質制御値ＤＣを修正し、上記修正された画質制御値ＤＣから環境光の光源の色温度に関する情報を取得する。
【００２１】
映像処理部１５は、映像信号Ｐに基づいて表示パネル１７の液晶表示部１７１を駆動する駆動部として機能する要素である。映像処理部１５は、映像信号Ｐを復号処理して液晶表示部１７１を駆動するための階調駆動値ＤＧを液晶表示部１７１に出力する。この際、映像処理部１５は、上記環境光の色温度に関する情報に基づいて作成した色補正情報に基づいて、入力される映像信号Ｐの色補正を行う。
【００２２】
表示制御部１６は、バックライトユニット１７２の発光輝度を制御するための要素である。表示制御部１６は、観測者の指示に基づき、表示操作入力部１８から信号制御部１３に輝度の設定に関する指令が出力された場合、画質制御部１４から出力される輝度設定値ＤＢに基づいて、発光輝度を制御するための輝度駆動値ＤＲをバックライトユニット１７２に出力する。このようなバックライトユニット１７２の発光輝度は、観測者の操作により任意に設定し得る。
【００２３】
表示パネル１７のバックライトユニット１７２は、液晶表示部１７１を裏面照射するための要素であり、バックライトユニット１７２として例えばＬＥＤ(Light Emitting Diode)が用いられる。表示パネル１７の液晶表示部１７１は、階調駆動値ＤＧに応じてバックライトユニット１７２の照射光の透過を調節することにより、表示パネル１７に形成される画像の階調を制御するための要素である。
【００２４】
表示操作入力部１８は、観測者から種々の操作を受け付けるための要素である。例えば、表示操作入力部１８は、観測者から、上述の基準特性値および観測値を検出する指令を受け付ける。また、表示操作入力部１８は、観測者から、バックライトユニット１７２の発光輝度に関する設定値を受け付ける。また、表示操作入力部１８は、観測者から、後述の映像信号生成部１９が生成する映像信号によって表示される各種の情報を受け付ける。
【００２５】
映像信号生成部１９は、表示操作入力部１８によって受け付けられた各種の情報を示す映像信号ＤＴを生成するための要素である。映像信号生成部１９は、映像信号ＤＴを映像処理部１５に供給し、階調駆動値ＤＧに反映させる。なお、本実施形態では、映像信号生成部１９は、任意的要素であり、省略可能である。
【００２６】
次に、図２から図６を参照しながら、本実施形態による表示装置１０の動作を説明する。
図２は、本発明の実施形態による表示装置１０の動作の流れの一例を示すフロー図である。図３は、本発明の実施形態による表示装置１０の動作の詳細の一例を示すフロー図である。図４は、本発明の実施形態による表示装置１０の動作を補足説明するための図であり、印刷媒体５００の設定方法を説明するための図である。図５Ａは、本発明の実施形態による表示装置１０の動作を補足説明するための図であり、光源αによる環境光を印刷媒体５００の紙面に照射したときの印刷媒体５００の白色点を示す照度を検出する手法を説明するための図である。また、図５Ｂは、表示パネル１７の表示光（白色光）を印刷媒体５００に照射したときの印刷媒体５００の白色点を示す照度を検出する手法を説明するための図である。図６は、本発明の実施形態による表示装置の動作において実施される色空間の補正の概念を説明するための図である。
【００２７】
本実施形態による表示装置１０は、映像信号Ｐに基づいて表示パネル１７に画像を表示する動作を基本とするが、本実施形態では、表示装置１０は、観測者の操作に基づき、表示パネル１７に表示される画像の色合いを印刷媒体に印刷された画像の色合いに合わせる印刷エミュレータとしての動作を実施する。印刷エミュレータとしての動作では、表示装置１０は、概略的には、印刷媒体の白色点に表示パネル１７の白色点を合わせることにより光源の色温度に関する情報を取得し、この光源の色温度に関する情報に基づいて表示パネルの色空間を補正する。また、色空間の補正では、表示装置１０は、取得した光源の色温度によって示される白色点と、ＩＣＣプロファイルで規定された白色点との差分に基づいて、ＩＣＣプロファイルで規定された色空間をシフトさせることにより、表示パネル１７の色空間を再計算する。
【００２８】
以下、印刷エミュレータとしての動作に着目して表示装置１０の動作を詳細に説明する。
まず、表示装置１０を印刷エミュレータとして使用する観測者（利用者）は、印刷エミュレータによって再現される画像が印刷される印刷媒体を準備する。印刷媒体は光沢がなく、拡散反射するものが望ましい。即ち、印刷媒体の反射光の輝度は安定していることが望ましい。ただし、この例に限定されず、印刷媒体として任意の用紙を用いることができる。
【００２９】
表示装置１０を印刷エミュレータとして機能させる場合、観測者は、表示操作入力部１８から、表示装置１０の動作モードを「白色合わせモード」に設定する。これにより、白色合わせモードが開始する（ステップＳ１）。
続いて、図４に例示するように、観測者は、光源αからの環境光が、準備した印刷媒体５００の紙面（印刷面）に照射されるように、印刷媒体５００の印刷面を上に向けた状態で、センサ部１１よりも下方の位置に水平状に配置する（ステップＳ２）。この場合、光源αからの環境光が印刷媒体に反射し、その反射光がセンサ部１１に取り込まれるように、印刷媒体をセンサ部１１の近傍に配置する。
【００３０】
続いて、観測者は、表示操作入力部１８を操作することにより、照度値取得指示（１）を表示装置１０に与え、センサ部１１で印刷媒体５００からの反射光の照度値を取得（検出）する旨を指示する（ステップＳ３）。照度値取得指示（１）を受けて、信号制御部１３は、図５Ａに例示するように、表示パネル１７の表示状態を黒表示とする照度値ＤＳを出力する（ステップＳ４）。または、照度値取得指示（１）を受けて、表示制御部１６がバックライトユニット１７２を消灯させることにより、表示パネル１７の表示状態を黒表示としてもよい。表示パネル１７が黒表示の状態で、センサ部１１は、印刷媒体５００の反射光の各色成分の照度を検出し、その照度値を示す照度信号Ｓ（Ｒ，Ｇ，Ｂ）を信号制御部１３に出力する。
【００３１】
信号制御部１３は、表示パネル１７の表示状態が黒表示とされた状態でセンサ部１１から入力される照度信号Ｓ（Ｒ，Ｇ，Ｂ）によって示される照度値（Ｒ，Ｇ，Ｂ）を読み取り、この照度値（Ｒ，Ｇ，Ｂ）を基準特性値（Ｒｒ，Ｇｒ，Ｂｒ）として取得する（ステップＳ５）。そして、信号制御部１３は、基準特性値（Ｒｒ，Ｇｒ，Ｂｒ）を記憶部１２に記憶させる（ステップＳ６）。このように、センサ部１１は、光源αからの環境光が印刷媒体５００に照射された場合に発生する印刷媒体５００からの反射光を検出し、信号制御部１３は、このときの照度値を基準特性値（Ｒｒ，Ｇｒ，Ｂｒ）として取得して記憶部１２に記憶させる。
【００３２】
続いて、観測者は、図５Ｂに例示するように、印刷媒体５００の印刷面に表示パネル１７の表示光が照射され、且つ、印刷媒体５００からの反射光がセンサ部１１に取り込まれるように印刷媒体５００の印刷面を表示パネル１７の表示面に向け、表示パネル１７の表示面と印刷媒体５００の印刷面とを正対させた状態に保持する（ステップＳ７）。
【００３３】
続いて、観測者は、表示操作入力部１８を操作することにより、照度値取得指示（２）を表示装置１０に与え、センサ部１１で印刷媒体５００からの反射光の照度値を取得（検出）する旨を指示する（ステップＳ８）。照度値取得指示（２）を受けて、信号制御部１３は、図５Ｂに例示するように、表示パネル１７の表示状態を白表示とする照度値ＤＳの初期値を出力する（ステップＳ９）。これにより、表示パネル１７の表示光は白色光になる。センサ部１１は、表示パネル１７の表示光（白色光）が、表示パネル１７の表示面と正対するように保持された印刷媒体５００に照射された場合に発生する印刷媒体５００からの反射光を検出し、その照度値を示す照度信号Ｓ（Ｒ，Ｇ，Ｂ）を信号制御部１３に出力する。
【００３４】
信号制御部１３は、センサ部１１からの照度信号Ｓ（Ｒ，Ｇ，Ｂ）によって示される照度値を読み取って、観測値（Ｒｓ，Ｇｓ，Ｂｓ）として取得する。このように、センサ部１１は、信号制御部１３から出力される照度値ＤＳの初期値に基づく表示パネル１７の表示光（白色光）が印刷媒体５００に照射された場合に発生する印刷媒体５００からの反射光を検出する。そして、信号制御部１３は、センサ部１１によって検出された各色成分の照度値（Ｒ，Ｇ，Ｂ）を観測値（Ｒｓ，Ｇｓ，Ｂｓ）として取得する。観測値（Ｒｓ，Ｇｓ，Ｂｓ）は、光源αからの環境光を印刷媒体５００が反射したときの反射光の色度を示し、環境光下での印刷媒体５００の白色点を示す。
【００３５】
続いて、画質制御部１４は、次に詳細に説明するように、上述の基準特性値（Ｒｒ，Ｇｒ，Ｂｒ）と観測値（Ｒｓ，Ｇｓ，Ｂｓ）とから、表示パネル１７の白色点と印刷媒体の白色点とを合わせることにより、光源の色温度に関する情報を取得する（ステップＳ１０）。本実施形態では、画質制御部１４は、信号制御部１３により取得される観測値（Ｒｓ，Ｇｓ，Ｂｓ）が基準特性値（Ｒｒ，Ｇｒ，Ｂｒ）に近づくように、又は、上記観測値によって示される色度（白色点）が上記基準特性値によって示される色度（白色点）に近づくように、表示パネル１７の駆動値となる画質制御値ＤＣを修正する。
【００３６】
そして、基準特性値（Ｒｒ，Ｇｒ，Ｂｒ）による色度と観測値（Ｒｓ，Ｇｓ，Ｂｓ）による色度との差が規定値内になったときの画質制御値ＤＣから環境光の光源αの色温度に関する情報を取得する。上記規定値は、観測者の視覚上、基準特性値による色度と観測値による色度とが同じに感じる範囲内で任意に設定し得る。本実施形態では、画質制御値ＤＣは、映像処理部１５の階調駆動値ＤＧに反映されるので、画質制御部１４は、信号制御部１３により取得される観測値によって示される色度が基準特性値によって示される色度と等しくなるように、階調駆動値ＤＧを修正するものと言える。
【００３７】
具体的に説明すると、画質制御部１４は、上記画質制御値ＤＣを修正する過程で、表示パネル１７の白色の階調駆動値ＤＧに反映される画質制御値ＤＣを変化させる（ステップＳ１０Ａ）。画質制御値ＤＣを変化させた後、画質制御部１４は、センサ部１１により検出される照度値（Ｒ，Ｇ，Ｂ）を観測値（Ｒｓ，Ｇｓ，Ｂｓ）として取得する（ステップＳ１０Ｂ）。そして、画質制御部１４は、基準特性値（Ｒｒ，Ｇｒ，Ｂｒ）と観測値（Ｒｓ，Ｇｓ，Ｂｓ）とを比較し、観測値が基準特性値と一致するか否かを判定する（ステップＳ１０Ｃ）。
【００３８】
そして、上記比較の結果、観測値が基準特性値と一致しない場合（ステップＳ１０Ｃ：ＮＯ）、即ち、観測値と基準特性値との差分が規定値内でない場合、処理をステップＳ１０Ａに戻し、観測値が基準特性値と一致するまで、同様の処理を繰り返す。そして、画質制御部１４は、観測値が基準特性値と一致する場合（ステップＳ１０Ｃ）、即ち、観測値と基準特性値との差分が規定値内になり、観測値が基準特性値によって示される色度を示す場合、そのときの観測値を与える画質制御値ＤＣ（または階調駆動値ＤＧ）を、光源αの色温度に関する情報として取得する。
【００３９】
図３を参照して、更に詳しく、上述のステップＳ１０（Ｓ１０Ａ〜Ｓ１０Ｃ）における光源αの色温度に関する情報の取得について説明する。
前述のステップＳ２〜Ｓ９により基準特性値（Ｒｒ，Ｇｒ，Ｂｒ）が取得された後、画質制御部１４は、表示パネル１７の表示状態を初期値の白色表示状態とするように、画質制御値ＤＣを調節する（ステップＳ１０１）。信号制御部１３は、表示パネル１７が初期値の白色表示状態であるときのセンサ部１１の観測値（Ｒｓ，Ｇｓ，Ｂｓ）を取得する（ステップＳ１０２）。この場合、信号制御部１３は、観測値（Ｒｓ，Ｇｓ，Ｂｓ）を色座標に展開できるよう、ＲＧＢ表色系の観測値（Ｒｓ，Ｇｓ，Ｂｓ）を、例えばＣＩＥ表色系の値（ｘｓ，ｙｓ，Ｙｓ）に変換する。
【００４０】
そして、画質制御部１４は、信号制御部１３により取得される観測値のＣＩＥ表色系の値（ｘｓ，ｙｓ，Ｙｓ）によって示される色度が基準特性値のＣＩＥ表色系の値（ｘｒ，ｙｒ，Ｙｒ）によって示される色度と等しくなる方向に、画質制御値ＤＣを修正する。即ち、画質制御部１４は、ＣＩＥ表色系の値（ｘｓ，ｙｓ）によって示される白色点と、ＣＩＥ表色系の基準特性値（ｘｒ，ｙｒ）によって示される白色点との差（Δｘ，Δｙ）を求め、その差（Δｘ，Δｙ）が予め設定された規定値以下になるように、画質制御値ＤＣを変化させる。
【００４１】
具体的には、画質制御部１４は、ＣＩＥ表色系の値（ｘｓ，ｙｓ）によって示される白色点と、ＣＩＥ表色系の基準特性値の色票（ｘｒ，ｙｒ）によって示される白色点との差（Δｘ，Δｙ）が規定値内であるか否かを判定する（ステップＳ１０７）。差（Δｘ，Δｙ）が規定値内でなければ（ステップＳ１０７：ＮＯ）、画質制御部１４は、画質制御値ＤＣによって示される（ｘ，ｙ）を変えることにより白色点を設定し直し（ステップＳ１０８）、その白色点に応じた画質制御値ＤＣを出力する。映像処理部１５は、画質制御値ＤＣに基づいた色度を示す階調駆動値ＤＧを液晶表示部１７１に出力する。これにより、表示パネル１７の白色表示の画像を更新する（ステップＳ１０９）。
【００４２】
この後、処理は上述のステップＳ１０２に戻され、差（Δｘ，Δｙ）が規定値内になるまで、同様の処理が繰り返される。差（Δｘ，Δｙ）が規定値内になると（ステップＳ１０７：ＹＥＳ）、画質制御部１４は、表示パネル１７の白色点を確定し（ステップＳ１１０）、そのときの画質制御値ＤＣ（または階調駆動値ＤＧ）を光源αの色温度を示す情報として特定して取得する。
【００４３】
なお、上述の例では、光源の色温度を特定する過程で、基準特性値および観測値を、ＲＧＢ表色系からＣＩＥ表色系に変換して、基準特性値と観測値との差（Δｘ，Δｙ）を求めたが、任意の表色系で基準特性値と観測値との差を求めてもよい。例えば、ＲＧＢ表色系の基準特性値とＲＧＢ表色系の観測値との差を求めて、その差が規定値内になるように、画質制御値ＤＣ（または階調駆動値ＤＧ）を設定してもよい。この場合、「差」ではなく、基準特性値と観測値との「比」が１になるように、画質制御値ＤＣ（または階調駆動値ＤＧ）を設定してもよい。例えば、基準特性値（Ｒｒ，Ｇｒ，Ｂｒ）から、「Ｒｒ／Ｂｒ」、「Ｇｒ／Ｂｒ」を求め、観測値（Ｒｓ，Ｇｓ，Ｂｓ）から、「Ｒｓ／Ｂｓ」、「Ｇｓ／Ｂｓ」を求める。そして、（Ｒｒ／Ｂｒ）／（Ｒｓ／Ｂｓ）が１になり、且つ、（Ｇｒ／Ｂｒ）／（Ｇｒ／Ｂｒ）が１になるように、画質制御値ＤＣ（または階調駆動値ＤＧ）を設定してもよい。このようにＲＧＢ表色系で「比」を用いることにより、各色成分に含まれる輝度の影響を低減させ、白色点（色度）を精度よく知ることができる。
【００４４】
上述のように光源αの色温度に関する情報が取得されると、映像処理部１５は、取得された光源αによる環境光の色温度に関する情報に基づいて、入力される映像信号Ｐの色補正を行い、これにより、ＩＣＣプロファイルで規定された所定の基準色温度（例えば、５０００Ｋ）における表示パネル１７の色空間を、光源αの色温度における色空間に補正する（ステップＳ１１）。本実施形態では、映像処理部１５は、上記の差（Δｘ，Δｙ）に基づいて、表示パネル１７の色空間を再計算する。そして、映像処理部１５は、色補正が行われた映像信号に基づいて表示パネル１７を駆動する。
【００４５】
ここで、図６を参照して、色空間の補正の概念を説明する。
図６は、本発明の実施形態による表示装置１０の動作において実施される色空間の補正の概念を説明するための図である。図６に模式的に示す色空間ＣＳは、例えばＩＣＣプロファイルで規定された補正前の色空間である。色空間ＣＳには、ＲＧＢ表色系の階調値（Ｒ，Ｇ，Ｂ）が規定され、各階調値（Ｒ，Ｇ，Ｂ）の位置は、階調駆動値ＤＧに対応している。このようなＲＧＢ表色系の階調値（Ｒ，Ｇ，Ｂ）が、色空間ＣＳの全体にわたって規定されている。
【００４６】
図６の例では、色空間ＣＳの領域Ｚに階調値（２５５，２５５，２５５）が規定されている。従って、例えば階調値（２５５，２５５，２５５）を示す映像信号Ｐが映像処理部１５に入力された場合、階調値（２５５，２５５，２５５）が規定された領域Ｚに対応した階調駆動値ＤＧが映像処理部１５から表示パネル１７の液晶表示部１７１に供給される。
【００４７】
前述した光源αの色温度に関する情報から、その光源αの色温度に対応した色空間ＣＳ上の白色点（色度）を知ることができる。即ち、光源αの色温度に関する情報を得たときの観測値（Ｒｓ，Ｇｓ，Ｂｓ）によって示されるＩＣＣプロファイルの色空間ＣＳ上の位置が、光源αの色温度に対応した色空間上の白色点になる。図６の例では、観測値として得られる基準特性値（Ｒｒ，Ｇｒ，Ｂｒ）に相当する階調値が規定された領域Ｑａが光源αの色温度に対応した白色点を示している。画質制御部１４は、基準特性値（Ｒｒ，Ｇｒ，Ｂｒ）に相当する階調値によって示される領域Ｑａの階調値を白色点とするように、色空間ＣＳ全体における階調値（Ｒ，Ｇ，Ｂ）と階調駆動値ＤＧとの対応関係を再計算して、色空間ＣＳ上の階調値（Ｒ，Ｇ，Ｂ）の配置を変更する。
【００４８】
具体的には、補正前の白色点である値（Ｒｗ，Ｇｗ，Ｂｗ）の領域Ｑを始点とし、補正後の白色点である値（Ｒｒ，Ｇｒ，Ｂｒ）の領域Ｑａを終点とするベクトルＶＣによって示される方向成分および距離成分に基づいて、色空間ＣＳを補正（変換）する。これにより、光源αの色温度を示す観測値（Ｒｓ，Ｇｓ，Ｂｓ）によって特定される領域Ｑａを白色点とした色空間が形成される。色空間の補正後は、例えば、階調値（２５５，２５５，２５５）は、領域Ｚから領域Ｚａに移動する。従って、階調値（２５５，２５５，２５５）を示す映像信号Ｐが映像処理部１５に入力された場合、領域Ｚａに対応した階調駆動値ＤＧが映像処理部１５から表示パネル１７の液晶表示部１７１に供給される。
なお、上述の例に限らず、色空間の補正（変換）は任意の手法で実現してもよい。
【００４９】
上述の色空間の補正が行われると、表示パネル１７の白色点は、光源αの色温度を示す観測値（Ｒｓ，Ｇｓ，Ｂｓ）によって示される白色点になる。ここで、光源αの色温度を示す観測値（Ｒｓ，Ｇｓ，Ｂｓ）によって示される白色点は、基準特性値に対応した白色点と一致する。基準特性値に対応した白色点は、印刷媒体５００の白色点を示している。従って、色空間が補正された後の表示パネル１７の表示画面の白色点は印刷媒体５００の白色点と一致し、表示パネル１７の白色点と印刷媒体５００の白色点とが合う。白色点が合えば、表示パネル１７の表示画像の色合いは、印刷媒体５００に印刷された画像の色合いと一致する。ただし、この段階では、表示パネル１７の表示画像の輝度は、印刷媒体５００に印刷された画像の輝度と必ずしも一致していない。
【００５０】
そこで、表示パネル１７の表示画像の輝度と印刷媒体５００に印刷された画像の輝度とを一致させるため、観測者は、印刷媒体５００を観測光下に置いて本来の観測状態とし、印刷媒体上の白色輝度と表示パネル１７の白色輝度とを見比べながら、表示操作入力部１８を操作することにより、表示パネル１７の輝度を調節するための指示を入力する。表示制御部１６は、観測者からの指示に応じた輝度駆動値ＤＲを出力し、バックライトユニット１７２の輝度を調節する。これにより、表示パネル１７上の画像の色合いが維持された状態で、輝度のみが調節される。この結果、観測者には、環境光の下での印刷媒体５００の白色および輝度が、表示パネル１７の表示画面の白色の白色および輝度と同じに見えるようになる。
なお、バックライトユニット１７２の輝度の調節に代えて、ＣＩＥ表色系の色度成分（ｘ，ｙ）が一定になるよう液晶表示部１７１の階調を制御すれば、上述の輝度を調節した場合と同様の効果を得ることができる。
【００５１】
上述の実施形態によれば、光源αの色温度に関する情報を取得する過程で、センサ部１１により基準特性値と観測値とを取得し、これらの相対値（差）を用いて光源の色温度に関する情報を取得している。このため、センサ部１１が劣化下し、センサ部１１の検出精度が低下したとしても、基準特性値と観測値との相対値（差）を得る過程で、劣化や検出精度の影響がキャンセルされる。即ち、例えば、劣化によりセンサ部１１の検出値と真の値との間に誤差が存在するとしても、この誤差は、基準特性値と観測値との両方に同じように含まれる。従って、基準特性値と観測値との差を演算すれば、基準特性値の誤差と観測値の誤差が相殺され、原理上、誤差の影響がなくなる。センサ部１１の入力と出力との間に１対１の対応関係があれば、その対応関係がどのようなものであったとしても、センサ部１１の劣化等の影響を低減することができる。従って、光源の色温度を正しく知ることができる。
【００５２】
また、上述の実施形態では、実際の環境光と印刷媒体を用いるため、あらゆる未知の光源の色温度を知ることができる。また、印刷媒体をセンサ部１１に近づけて計測することにより、センサ部１１の周辺の反射等による影響を低減することができる。
また、上述の実施形態では、プリンタのプロファイルで定義された印刷媒体及び光源を用いることなく、更には、色温度を計測するための専用の計測器を用いることなく、印刷媒体と表示パネル１７の白色を合わせることができる。従って、印刷前の出来上がり状態をモニタ表示上で手軽に確認することができ、印刷の失敗に伴う印刷媒体やインクの消耗を抑制することが可能となる。
【００５３】
また、上述の実施形態では、観測光による白色点を基準特性値による白色点に合わせる過程（ステップＳ１０）で、ＣＩＥ表色系（ｘ，ｙ，Ｙ）を用いたので、輝度の影響を回避しながら、精度よく白色点（色度）を合わせることができる。従って、光源の色温度を精度よく知ることができる。
【００５４】
次に、本発明の他の実施形態を説明する。
図７は、本発明の他の実施形態による表示装置２０の構成例を示すブロック図である。
表示装置２０は、検出部２１、取得部２２、駆動部２３、表示パネル２４を備える。
検出部２１は、印刷媒体２５からの図示しない光源の環境光の反射光、または、印刷媒体２５からの表示パネル２４の表示光の反射光を検出する。駆動部２３は、映像信号Ｐに基づいて表示パネル２４を駆動する。検出部２１は、図示しない光源の環境光が印刷媒体２５に照射された場合に発生する印刷媒体２５からの反射光を検出して第１検出値を取得する。また、検出部２１は、表示パネル２４の表示光が印刷媒体２５に照射された場合に発生する印刷媒体２５からの反射光を検出して第２検出値を取得する。取得部２２は、上記第２検出値が上記第１検出値に近づくように、又は、上記第２検出値によって示される色度が上記第１検出値によって示される色度に近づくように、駆動部２３が表示パネル２４の駆動値を修正し、上記修正された駆動値から上記環境光の色温度に関する情報を取得する。
【００５５】
検出部２１は、図１に示すセンサ部１１、記憶部１２、信号制御部１３に対応する。取得部２２は、図１に示す画質制御部１４に対応する。駆動部２３は、図１に示す映像処理部１５に対応する。表示パネル２４は、図１に示す表示パネル１７に対応する。
図７に示す他の実施形態による表示装置２０によれば、図１に示す実施形態による表示装置１０と同様の効果を得ることができる。
【００５６】
上述した実施形態の主要な効果をまとめる。
（１）センサの劣化や検出精度の影響を抑制しつつ、環境光の光源の色温度を知ることができる。
（２）環境光の色温度が未知であっても、印刷エミュレートを実現することができる（請求項２の効果）。従って、ＩＣＣ規格等で規定された基準色温度の光源を要することなく、環境光の下での印刷媒体上の画像の色度を表示パネル上に再現することができる。
（３）未知の環境光の色温度に対応した表示パネルの駆動値を得ることができる。
（４）環境光の影響を抑制しつつ、表示パネルの表示光を印刷媒体の印刷面に照射させ、印刷面からの反射光を検出することができる。
（５）印刷媒体の透過光の影響を受けることなく、環境光を印刷媒体の印刷面に照射させ、印刷面からの反射光を検出することができる。
（６）表示パネル１７の表示光の輝度を安定化させることができ、表示光の輝度の変動の影響を抑制しつつ、環境光の色温度を知ることができる。
【００５７】
上述した実施形態による表示装置の動作（処理）は、表示方法として表現することもできる。この場合、本発明による表示方法は、映像信号に基づいて表示パネルを駆動する段階と、環境光が印刷媒体に照射された場合に発生する前記印刷媒体からの反射光を検出して基準特性値を取得し、前記表示パネルの表示光が前記印刷媒体に照射された場合に発生する前記印刷媒体からの反射光を検出して観測値を取得する段階と、前記観測値によって示される色度が前記基準特性値によって示される色度と等しくなる方向に、前記表示パネルを駆動するための駆動値を修正し、前記修正された駆動値から前記環境光の光源の色温度に関する情報を取得する段階と、を含む表示方法として表現することができる。
【符号の説明】
【００５８】
１０…表示装置、１１…検出部、１２…記憶部、１３…信号制御部、１４…画質制御部、１５…映像処理部、１６…表示制御部、１７…表示パネル、１８…表示操作入力部、１９…映像信号生成部、２０…表示装置、２１…検出部、２２…取得部、２３…駆動部、２４…表示パネル、２５…印刷媒体（反射媒体）１７１…液晶表示部（ＬＣＤ）、１７２…バックライトユニット、５００…印刷媒体（反射媒体）、α…光源、Ｃ…観測者、Ｓ１〜Ｓ１１，Ｓ１０１〜Ｓ１１０，Ｓ１０Ａ〜Ｓ１０Ｃ…処理ステップ。
【図１】
2016121025.tif 000003
【図２】
2016121025.tif 000004
【図３】
2016121025.tif 000005
【図４】
2016121025.tif 000006
【図５Ａ】
2016121025.tif 000007
【図５Ｂ】
2016121025.tif 000008
【図６】
2016121025.tif 000009
【図７】
2016121025.tif 000010
【国際調査報告】
2016121025.tif 000011
2016121025.tif 000012